(57)【要約】【課題】発電所などの取・放水路などの水路内壁面に付着した海生生物を水路を遮断することなく除去すると共に、その水路内壁面に沿って回転体の外周面を周方向に転動させ、かつ公転移動させて海生生物の付着成長を効果的に阻止することのできる経済的な水路の清掃方法および装置を提供する。【解決手段】自転力を有し、抵抗係数の大きい抵抗体４を、抵抗係数の小さい抵抗体１の一端にロープ２で連結し、抵抗体１の他端に支持ロープ６を取り付け、支持ロープ６を水路１０の水流Ｗ方向に対して所定長さだけ前後に移動する。【選択図】　　　　図１
2004011279.tif 000002
【特許請求の範囲】
【請求項１】
自転力を有し、抵抗係数の大きい抵抗体を、抵抗係数の小さい抵抗体の一端にロープで連結し、抵抗係数の小さい抵抗体の他端に支持ロープを取り付け、その支持ロープを水路の水流方向に対して所定長さだけ前後に移動させる動作を行なって抵抗係数の大きい抵抗体を水路内壁周面に沿って擦過させる水路の清掃方法。
【請求項２】
自転力を有し、抵抗係数の大きい抵抗体を、抵抗係数の小さい抵抗体の一端にロープで連結し、抵抗係数の小さい抵抗体の他端に支持ロープを取り付け、その支持ロープを水路の水流方向に対して所定長さだけ前後に移動させる動作を行なって抵抗係数の大きい抵抗体を水路内壁周面に沿って擦過させると共に、水路内壁面に付着した海生生物を抵抗係数の大きい抵抗体で上流方向に剥ぎ取る水路の清掃方法。
【請求項３】
自転力を有し、抵抗係数の大きい抵抗体を一端にロープを介して取り付けた抵抗係数の小さい抵抗体と、その抵抗係数の小さい抵抗体の他端に取り付けた支持ロープを水路の水流方向に対して所定長さだけ前後に移動する機構とからなる水路の清掃装置。
【発明の詳細な説明】
【０００１】
【発明の属する技術分野】
本発明は、発電所などの流速の速い水路の内壁面に付着したむらさき貝や、ふじつぼ等の海生生物を、一定の流速で流れている状態で、その水路を遮断することなしに効率よく除去する水路の清掃方法おび装置に関する。
【０００２】
【従来の技術】
発電所などにおいて、冷却用の海水を取り入れたり、使用済の冷却水を放流する流速の速い水路の内壁面には、むらさき貝や、ふじつぼ等の海生生物が付着しやすく、付着した海生生物が水路内で成長すると、水路内の断面積が小さくなることや、水路の内壁面が粗くなることで、水の流れが悪くなり、必要流水量が確保できなくなる。
【０００３】
そこで、従来、水路を遮断して、大量の人力により、短期間に水路の内壁面に付着した海生生物を人手により除去していた。しかしながら、水路を遮断すると、発電所の発電能力が低下するという問題があり、また、作業員が水路内に入ることは危険が伴い、かつ作業費用がかさむという問題があった。
【０００４】
上記の問題点を解決するため特開平５−２２０４６２の水路の清掃方法に関する発明がなされている。即ちこの水路の清掃方法は、外周部に水路の内壁面を傷つけない素材、例えばゴムまたはプラスチック等からなる打撃体を複数個固定した円盤状、多角形盤状、多面体状または球状等の抵抗体の中心に保持ロープを取付けた水路清掃具を、その保持ロープを介して水路の流水中に流しながら、保持ロープを所定長さだけ巻き取ったり、緩めたりする動作を繰り返し行なうことにより構成されたものである。
【０００５】
しかしながらこの場合、抵抗体の中心に保持ロープを取付けた水路清掃具を水路の流水中に流すと、抵抗体は水路内を不規則に動き、必ずしも水路の内壁面に沿って移動しないため、内壁面に付着した海生生物の一部しか抵抗体によりたたくことができず、内壁面全体にわたって海生生物の付着成長を防止する効果が低いという問題がある。
【０００６】
すなわち、一定の流速を持った水路内に、その水路中心に支点を持つ支持ロープを付け、自転機能付きの抵抗体を流すと、抵抗体は自転しつつ支持ロープ支点を中心に水路内壁面に沿って公転する。
【０００７】
しかしながら、支持ロープが長くなると、支持ロープは水流の影響を受け、円滑な公転運動が起きにくくなり、抵抗体の水路内壁面への押圧力が減ずる。
【０００８】
そこで、本発明者等は、一定の流速で水が流れている水路内にロープを介して種々の抵抗体を流して実験及び考察を重ねた結果、図３に示すように水流に対して抵抗係数の小さい、例えば球状の抵抗体１の場合には、図４に示すごとくその抵抗体１は流れの速い水路１０内の断面中央の領域に留まり、一方図５に示すように水流に対して抵抗係数の大きい例えば円盤状の抵抗体４をロープ２を介して流す場合には、図６に示すように流速の遅い領域、即ち水路１０の内壁面付近に留まることを確認した。
【０００９】
次に、上記図５の円盤状の抵抗体４に図７の側面図及び図８の背面図に示すような自転型翼５を設けて自転力を起こす形状として水路１０内を流すと、抵抗係数が０．５程度の小さい場合、図９に示すように『自転及び公転』の動きを生じ、この公転の範囲は、流速の速い断面中央の領域で自転公転をする。
【００１０】
また、抵抗係数が１．５程度の大きい場合は、図１０に示すように、流速の遅い水路１０内壁面で『自転公転』が生じ、公転の領域は自転方向と同じ向きで水路１０内壁面に沿って公転運動をする。
【００１１】
即ち、円盤状の抵抗体４に自転型翼５による自転力を起こさせることにより、水路１０内壁面に沿って公転運動が起きることを確認した。
【００１２】
そこで、図６及び図７の場合に生じる円盤状の抵抗体４が、水路１０の内壁面に留まる現象と、水路１０の内壁面に沿って公転運動をする現象とを利用して、図１１に示すように、支持するロープ２を凧を揚げる要領で矢印Ｘのごとく前後に移動することによって、抵抗体４が水路１０の内壁面に対して擦過運動する原理により、抵抗体４の外面にて水路１０内壁面を擦過して、付着海生生物を除去しようとすることが考えられている。
【００１３】
しかしながら、水路１０中に抵抗体４を支持するロープ２が、図１０の角度Ａのように長さＬが長く張られた場合、ロープ２は水流Ｗの影響を受け、ロープ２の先端の抵抗体４の運動が円滑に行なわれにくくなり、水路１０内壁面に付着した海生生物の除去が効果的に行なわれにくくなるという問題点があることが判明した。
【００１４】
【発明が解決しようとする課題】
本発明は、発電所などの取・放水路など、流速の速い水路内壁に付着した海生生物を、一定の流速で水が流れている状態で、水路を遮断することなく除去して清掃することができ、水路内壁面への海生生物の付着成長を効果的に阻止することのできる経済性および安全性の高い水路の清掃方法及び装置を提供する。
【００１５】
【課題を解決するための手段】
本発明は、自転力を有し、抵抗係数の大きい抵抗体を抵抗係数の小さい抵抗体の一端とロープで連結し、抵抗係数の小さい抵抗体の他端に支持ロープを取り付け、その支持ロープを水路の水流方向に対して所定長さだけ前後に移動する動作を行なって抵抗係数の大きい抵抗体を水路内壁周面に沿って擦過させる水路の清掃方法、並びに自転力を有し、抵抗係数の大きい抵抗体を、抵抗係数の小さい抵抗体の一端とロープで連結し、抵抗係数の小さい抵抗体の他端に支持ロープを取り付け、その支持ロープを水路の水流方向に対して所定長さだけ前後に移動する動作を行なって、円盤状の抵抗体を水路内壁周面に沿って擦過させると共に、水路内壁面に付着した海生生物を円盤状の抵抗体で上流方向に剥ぎ取る水路の清掃方法からなる。
【００１６】
そしてかゝる方法を実施する装置は、自転力を有し、抵抗係数の大きい抵抗体を一端にロープを介して取り付けた抵抗係数の小さい抵抗体と、抵抗係数の小さい抵抗体の他端に取り付けた支持ロープを水路の水流方向に対して所定長さだけ前後に移動する機構とからなる。
【００１７】
【発明の実施の形態】
以下図面を参照して本発明の水路の清掃方法および装置につき説明する。
【００１８】
図１および図２は本発明の水路の清掃方法を適用して清掃作業を行なう装置の一実施形態を示す側断面図であり、この装置は、図７に示すように自転型翼５を備えて自転力を有し、抵抗係数の大きい例えば円盤状の抵抗体４を、一端にロープ２を介して取り付けた図３に示すような抵抗係数の小さい、例えば球状の抵抗体１からなり、さらにこの球状の抵抗体１の他端に取り付けた支持ロープ６を水路１０の水流Ｗ方向に対して所定長さＸだけ前後に移動する機構を有している。
【００１９】
以上のように本発明の装置は、支持ロープ６の先端に抵抗係数の小さい球状の抵抗体１を取り付けており、前述の通り、球状の抵抗体１は水路１０の断面中央の流速が速い領域に留まる性質を持っているので、この球状の抵抗体１を支持ロープ６でロープ治具７から水路１０内に支持すれば、支持ロープ６は図１のごとく直線状に水流Ｗに沿って流れ、図１０のＡで示したようなロープ角度がないため水流Ｗによる影響は極めて小さくなり、支持ロープ６の安定対策となる。　次に、球状の抵抗体１の下流側に、自転力を持った水路内壁面の擦過用の円盤状の抵抗体４をロープ２を介して連結しているので、図２に示すごとく擦過用の抵抗体４は球状の抵抗体１の中心を支点に自転し、かつ水路１０内壁面に沿って公転運動を起こし、支持ロープ６を矢印Ｘの範囲で大きい角度をもった状態で前後に移動することにより、この擦過用の抵抗体４は、水路１０内壁面に付着した海生生物を強く擦過する。
【００２０】
すなわち、上記のごとく球状の抵抗体１と擦過用の抵抗体４との組み合わせにより、水路１０の清掃作業における擦過運動は強力に、かつ円滑に行なわれる。
【００２１】
この装置の支持ロープ６は図１に便宜上示しているロープ治具７を介して水路１０上に設けた図示されていないウインチに固定されており、このウインチには、支持ロープ６を上記ロープ治具７を介して水路１０内の水流Ｗ方向に対して所定の長さＸだけ前後に移動する動作と、小刻みに伸縮する動作を繰り返し行なう適宜な機構を組み込んでいる。
【００２２】
なお、上記のウインチの代わりに、一対のローラや漁業で使用する摩擦車式網機等を使用してもこの支持ロープ６を前後に移動することが可能である。
【００２３】
【発明の効果】
以上説明した本発明の清掃方法とその装置によれば、流速の速い水路に水を流したまま、付着海生生物を除去することが可能であり、発電所などの取・放水路などの場合には、水路を遮断する必要なしに清掃作業ができ、その結果、発電能力を低下させることなく水路の清掃が可能になるという効果がある。
【００２４】
また、水の流れのエネルギーを利用して簡単な水路清掃装置を用いるだけで、水路内に作業員が入る必要なしに付着海生生物を容易に除去できるので、経済性および安全性に優れた水路の清掃作業が行なえるという利点がある。
【００２５】
特に、本発明の清掃方法とその装置によれば、回転体を連結したロープを小刻みに伸縮する動作を繰り返し行なうことにより、水路の内壁面に付着し、生育した海生生物を擦過用の抵抗体により除去し、繰り返し擦過することにより、その付着成長をより効果的に阻止することができる。
【００２６】
すなわち、本発明の清掃方法では、抵抗係数の小さい球状の抵抗体で支持ロープを水路の中心線上に位置させ、この球状の抵抗体を支点に円盤状の抵抗体を水路内壁面に向かって角度をもたせながら公転運動を起こさせ、凧を揚げるように支持ロープを前後に移動することにより、水路壁面に付着している海生生物を円盤状の抵抗体の外面で強く擦過除去で、特に水路の長さが長くなっても効果的に、かつ強力な清掃作業ができる。
【図面の簡単な説明】
【図１】本発明の清掃方法を起用して水路の清掃作業を行なう一実施形態の装置の球状の抵抗体の機能を説明する側断面図である。
【図２】図１の装置の円盤状の抵抗体の、救助の抵抗体との連結及び挙動を説明する側断面図である。
【図３】本発明を案出するために検討を行なった球状の抵抗体の側面図である。
【図４】図３の抵抗体の水路内に留まる領域を示す側断面図である。
【図５】図３と同様の検討を行なった円盤状の抵抗体の側面図である。
【図６】図５の抵抗体の水路内に留まる領域を示す側断面図である。
【図７】図５の抵抗体に自転機能を持たせた抵抗体の側面図である。
【図８】図７の背面図である。
【図９】図７の抵抗体が水路断面中央で自転・公転運動する状態の側断面図である。
【図１０】図９の抵抗体が水路内壁面に沿って自転公転する状態の側断面図である。
【図１１】図９の抵抗体が水路内壁面で擦過運動する状態の側断面図である。
【図１２】図９の抵抗体を支持するロープの水路中の水流の影響を受ける状態の側断面図である。
【符号の説明】
１　　抵抗体
２　　ロープ
４　　抵抗体
６　　支持ロープ
１０　　水路
Ｘ　　所定長さ
Ｗ　　水流
【図１】
2004011279.tif 000003
【図２】
2004011279.tif 000004
【図３】
2004011279.tif 000005
【図４】
2004011279.tif 000006
【図５】
2004011279.tif 000007
【図６】
2004011279.tif 000008
【図７】
2004011279.tif 000009
【図８】
2004011279.tif 000010
【図９】
2004011279.tif 000011
【図１０】
2004011279.tif 000012
【図１１】
2004011279.tif 000013
【図１２】
2004011279.tif 000014